(57)【要約】【課題】簡易的で小スペースでの設置が可能であり、小動物等からごみの散乱被害を防止し、かつ、不使用時には簡単に格納可能なごみ保管袋及びごみ保管袋吊上げ装置を提供すること。【解決手段】シート部（１１）が結合部（１４）によってその両端を結合し、上辺綴込み紐（１９ａ）及び下辺綴じ込み紐（１９ｂ）の両端を引き締めて結び、シート部（１１）の上辺又は下辺を巾着状に絞り込むことで袋状の本体（１０，１０ａ）を形成する。また、本体（１０,１０ａ）は、吊管（３１）を有する吊管固定バンド（３６）を備えたごみ保管袋吊上げ装置（３０）に接続して、支柱（６０）に固定する。【選択図】図３
2009007161.tif 000002
【特許請求の範囲】
【請求項１】
ごみ集積所に出されるごみを収容し一時的に保管するごみ保管袋であって、
矩形状のシート部（１１）よりなり、前記シート部の上辺及び下辺に沿って形成された紐通し部（１８）と、前記紐通し部の一方の端から紐を挿入し反対側の端へ該紐を貫通させた綴込み紐（１９ａ，１９ｂ）と、前記シート部の両端の全長に亘り取付けられ該両端を着脱自在に結合する結合部（１４）とを有し、
前記結合部によって前記両端を結合し、前記綴込み紐の両端を引き締めて結び、前記シート部の上辺又は下辺を巾着状に絞り込むことで袋状の本体（１０，１０ａ）を形成することを特徴とするごみ保管袋。
【請求項２】
前記本体が円柱状又は角柱状の形状に構成されることを特徴とする請求項１に記載のごみ保管袋。
【請求項３】
前記シート部の一方の面上に前記本体をごみ集積所の適所に固定するための本体固定バンド（１７）を有することを特徴とする請求項１又は２に記載のごみ保管袋。
【請求項４】
前記本体の底面部（２０）の中央付近に開口する穴である開放部（４１）を有することを特徴とする請求項１乃至３のいずれか一に記載のごみ保管袋。
【請求項５】
前記底面部は、その外周に少なくとも前記本体より外側へ突き出した一片である踏付けベロ（４０）を有していることを特徴とする請求項１乃至４のいずれか一に記載のごみ保管袋。
【請求項６】
前記本体の上面部（５０）に略円形でその中央部に穴を有する遮水カバー（５１）を備えることを特徴とする請求項１乃至５のいずれか一に記載のごみ保管袋。
【請求項７】
前記シート部の少なくとも一方の辺に対して縫い継いだ帯状のシートである帯状部（５２）をさらに有し、前記シート部の上辺に形成された紐通し部に替えて、前記帯状部の上辺に紐通し部（１８）と、前記紐通し部に貫通させた綴じ込み紐（１９ａ，１９ｂ）とを有することを特徴とする請求項１又は４に記載のごみ保管袋。
【請求項８】
前記帯状部は、一方の面上に上下方向へ延びる第１のベルト（５３）と、前記第１のベルトの上下方向において角度をなす第２のベルト（５４）と、第３のベルト（５５）とを有することを特徴とする請求項７に記載のごみ保管袋。
【請求項９】
前記第１のベルトは、一方の側に前記本体をごみ集積所の適所に固定するためのベルト固定部を有することを特徴とする請求項７又は８に記載のごみ保管袋。
【請求項１０】
前記第１のベルトは、長さ方向におけるサイズ調整のためのアジャスター（５６）を有することを特徴とする請求項７乃至９のいずれか一に記載のごみ保管袋。
【請求項１１】
請求項１乃至１０のいずれか一に記載のごみ保管袋のごみ保管袋吊上げ装置であって、
吊ロープ（３２）と、前記上辺の前記綴込み紐と吊ロープの一端とを接続する接続管（３１）と、ごみ集積所の適所で少なくとも前記上面部より高い位置に固定した吊管固定バンド（３６）と、前記適所で少なくとも前記底面部より高い位置に固定した吊ロープ結束バンド（３５）とを備え、前記吊管固定バンドは前記吊ロープで前記本体を吊上げる為の吊管（３１）と、前記吊ロープ結束バンドは前記吊ロープを固定する為の吊ロープ結束管（３４）とを有することを特徴とする。
【発明の詳細な説明】
【技術分野】
【０００１】
本発明は、ごみ集積所又は一時的にごみを保管しておく場所において、出されたごみを収容し保管するごみ保管袋とこれを吊上げて固定するごみ保管袋吊上げ装置に関するものである。
【背景技術】
【０００２】
一般的に家庭や事業所等より出されるごみや残飯等の生ごみは、ごみ袋に入れられ、所定の道路脇やごみを放置するために備えられた専用スペースであるゴミステーション等のごみ集積所に出しておくと、所定日にごみ収集車がこれらを回収していくようになっている。ここで、出されるごみ袋に残飯等の生ごみを含む場合、カラスや猫、鼠等の小動物がこれを破ってごみをあさり、ごみ集積所の周辺にごみが散乱することが問題となる。また、出されるごみ袋がランダムに積み上げられたり、放り投げられたりした結果、整然と積み上げられず、ごみ袋がごみ集積所周辺の路上等に広がって道路の通行を邪魔したり、周辺の環境を害するといった問題がある。
【０００３】
前述したような問題を解決するため、特許文献１では、四隅に支柱を立設し、パネル状の金網やネットを支柱間に張った箱状で、不使用時には分解することが可能なごみ袋収容箱が提案されている。
また、特許文献２では、上記と同様の箱状で、支柱脚部にキャスターが設けられており、不使用時には本体を前面から後方へ押し込むことで簡単に折りたたむことが可能なごみ収容箱が提案されている。
一方で、特許文献３では、シート状のネットをごみ集積所で積み上げられたごみ袋の上から単に覆い被せ、不使用時には付属の収納袋に畳んで収納するというごみ袋防護装置が提案されている。
【０００４】
【特許文献１】特開Ｈ０９−３０９６０１号公報
【特許文献２】特開２００１−１２２４０１号公報
【特許文献３】特開Ｈ０８−５８９１０号公報
【発明の開示】
【発明が解決しようとする課題】
【０００５】
しかしながら、四隅に支柱を立設した箱状のごみ袋収容箱は、その大きさ等の問題から設置場所が限定されてしまい、ごみ集積所が道路脇等である場合には道路通行の妨げになるため不向きである。仮に、道路脇に設置出来るようなスペースを確保出来た場合でも、当然のことながら道路管理者である地方自治体や国土交通省による道路使用許可が必要であり、申請等に時間や費用が掛かる。ごみ袋を捨てる際、多くの場合は金属製で作られた重い扉を開けてごみ袋を箱に投入しなければならず、手間が掛かる。ごみ袋が回収された後、ごみから出た汚水等によりごみ袋収容箱やごみ集積所周辺は不衛生な状態となることから清掃をすることを義務づけている地域団体等も多くみられる。そのため、清掃等の目的からごみの回収毎にごみ袋収容箱を組立てて設置したり、分解して片付けたりするには手間と労力が掛かってしまう。また、簡単に折りたためるごみ袋収容箱であっても、大半の場合、不使用時には折りたたんだ状態で道路脇等に放置されることから、道路通行者の安全面等の問題から不向きである。更に、これらの様な箱状のタイプは高額なものが多くみられ、費用等の問題がある。
【０００６】
一方で、シート状のネットをごみ袋の上から単に覆い被せるだけのごみ袋防護装置に至っては、安価であり、収納スペースも必要ないが、ごみ袋を出す際、ネット自体を直接持ち上げてごみ袋をネット内に投入しなければならない。これは、ネットがごみから出る汚水等で汚れていることもあることから、衛生的に良いとは言い難い。また、ネットがシート状であることから、これが有する面の大きさだけ平面的にごみ袋を覆うことが可能なので、ごみ袋が平面状にごみ集積所周辺のスペースを占領し、道路交通の妨げになる危険性があり、ごみ集積所周辺の環境的にも、道路や地域の景観的にも良いものとは言い難い。更に、シート状のネットの端部は固定されておらず不安定であることから、小動物等からごみの散乱被害を完全に防止するには至っていない。
【０００７】
本発明は、以上のような問題点に鑑みなされたもので、簡易的で小スペースでの設置が可能であり、小動物等からごみの散乱被害を防止し、かつ、不使用時には簡単に格納可能なごみ保管袋及びごみ保管袋吊上げ装置を提供することを目的とする。
【課題を解決するための手段】
【０００８】
上記目的を解決すべく、本発明は以下の構成を提供する。
請求項１に係る本発明は、ごみ集積所に出されるごみを収容し一時的に保管するごみ保管袋であって、矩形状のシート部よりなり、前記シート部の上辺及び下辺に沿って形成された紐通し部と、前記紐通し部の一方の端から紐を挿入し反対側の端へ該紐を貫通させた綴込み紐と、前記シート部の両端の全長に亘り取付けられ該両端を着脱自在に結合する結合部とを有し、前記結合部によって前記両端を結合し、前記綴込み紐の両端を引き締めて結び、前記シート部の上辺又は下辺を巾着状に絞り込むことで袋状の本体を形成することを特徴とする。
【０００９】
請求項２に係る本発明は、前記本体が円柱状又は角柱状の形状に構成されることを特徴とする。
【００１０】
請求項３に係る本発明は、請求項１又は２に記載のごみ保管袋であって、前記シート部の一方の面上に前記本体をごみ集積所の適所に固定するための本体固定バンドを有することを特徴とする。
【００１１】
請求項４に係る本発明は、請求項１乃至３のいずれか一に記載のごみ保管袋であって、前記本体の底面部の中央付近に開口する穴である開放部を有することを特徴とする。
【００１２】
請求項５に係る本発明は、請求項１乃至４のいずれか一に記載のごみ保管袋であって、前記底面部は、その外周に少なくとも前記本体より外側へ突き出した一片である踏付けベロを有していることを特徴とする。
【００１３】
請求項６に係る本発明は、請求項１乃至５のいずれか一に記載のごみ保管袋であって、前記本体の上面部に略円形でその中央部に穴を有する遮水カバーを備えることを特徴とする。
【００１４】
請求項７に係る本発明は、請求項１又は４に記載のごみ保管袋であって、前記シート部の少なくとも一方の辺に対して縫い継いだ帯状のシートである帯状部をさらに有し、前記シート部の上辺に形成された紐通し部に替えて、前記帯状部の上辺に紐通し部と、前記紐通し部に貫通させた綴じ込み紐とを有することを特徴とする。
【００１５】
請求項８に係る本発明は、請求項７に記載のごみ保管袋であって、前記帯状部は、一方の面上に上下方向へ延びる第１のベルトと、前記第１のベルトの上下方向において角度をなす第２のベルトと、第３のベルトとを有することを特徴とする。
【００１６】
請求項９に係る本発明は、請求項７又は８に記載のごみ保管袋であって、前記第１のベルトは、一方の側に前記本体をごみ集積所の適所に固定するためのベルト固定部を有することを特徴とする。
【００１７】
請求項１０に係る本発明は、請求項７乃至９のいずれか一に記載のごみ保管袋であって、前記第１のベルトは、長さ方向におけるサイズ調整のためのアジャスターを有することを特徴とする。
【００１８】
請求項１１に係る本発明は、請求項１乃至１０のいずれか一に記載のごみ保管袋のごみ保管袋吊上げ装置であって、吊ロープと、前記上辺の前記綴込み紐と吊ロープの一端とを接続する接続管と、ごみ集積所の適所で少なくとも前記上面部より高い位置に固定した吊管固定バンドと、前記適所で少なくとも前記底面部より高い位置に固定した吊ロープ結束バンドとを備え、前記吊管固定バンドは前記吊ロープで前記本体を吊上げる為の吊管と、前記吊ロープ結束バンドは前記吊ロープを固定する為の吊ロープ結束管とを有することを特徴とする。
【発明の効果】
【００１９】
請求項１に係る本発明は、矩形状のシート部の上辺及び下辺に沿って形成された紐通し部に紐を貫通させた綴込み紐と、シート部の両端に取付けられその両端を着脱自在に結合する結合部とを有し、この結合部で両端を結合し綴込み紐の両端を引き締めて結んで巾着状に絞り込むことで袋状の本体を形成している。
【００２０】
このことから、構成が非常に簡単であり、予め立体形状を形成し製作するよりも安価に製作でき、利用者にも安価に提供することが可能である。
また、支柱を立てるといった作業も必要なく、本体を組み立てる作業が簡単で手間を掛けず行うことが可能である。更に、コンパクトに折り畳むことが可能なので、不使用時に格納場所を取られることがない。
【００２１】
請求項２に係る本発明は、本体が円柱状又は角柱状といった立体形状形態に構成されることから、これが収容できる容量はその占有面積と比較して大きな容量を確保することが可能である。
【００２２】
請求項３に係る本発明は、シート部の一方の面上に本体をごみ集積所の適所に固定するための本体固定バンドを有することから、支柱やフェンス等に本体を固定すること可能である。
【００２３】
請求項４に係る本発明は、本体の底面部の中央付近に開口する穴である開放部を有することから、本体に収容されたごみから出る汚水等をここから外部へ排出することが可能である。また、この開放部は下辺綴込み紐の引き締め具合を調節することで、その大きさを簡単に調節することが可能である。
【００２４】
請求項５に係る本発明は、本体の底面部がその外周に少なくとも本体より外側へ突き出した一片である踏付けベロを有していることから、この踏付けベロを足で踏みつけて一時的に本体を地面に固定することが可能である。
【００２５】
請求項６に係る本発明は、本体の上面部に略円形でその中央部に穴を有する遮水カバーを備えていることから、本体の構造上、その上部に生じる穴からの雨水等の浸入を防止することが可能である。
【００２６】
請求項７に係る本発明は、シート部の少なくとも一方の辺に対して縫い継いだ帯状のシートである帯状部をさらに有し、シート部の上辺に形成された紐通し部に替えて、帯状部の上辺に紐通し部と、綴じ込み紐とを有する。このことから、帯状部にシート部と異なる素材のシートを採用することが可能となる。
【００２７】
請求項８に係る本発明は、帯状部の一方の面上に上下方向へ延びる第１のベルトと、第１のベルトの上下方向において角度をなす第２のベルトと、第３のベルトとを有することから、帯状部における形状を保持する。さらに第２及び第３のベルトは、本体を吊上げる際、第１のベルトに掛かる力を分散することを可能とする。
【００２８】
請求項９に係る本発明は、第１のベルトは、一方の側に本体をごみ集積所の適所に固定するためのベルト固定部を有していることから、本体をごみ集積所の適所に固定することを可能とする。
【００２９】
請求項１０に係る本発明は、第１のベルトが長さ方向におけるサイズ調節のためのアジャスターを有することから、第１のベルトを調節することで、帯状部の上下方向におけるサイズを調節することが可能となる。
【００３０】
請求項１１に係る本発明は、本発明によるごみ保管袋のごみ保管袋吊上げ装置で、上面部の綴込み紐と吊ロープの一端とを接続する接続管と、ごみ集積所の適所で少なくとも上面部より高い位置に固定した吊管固定バンドと、同様に少なくとも底面部より高い位置に固定した吊ロープ結束バンドを備え、吊管固定バンドは吊ロープで本体を吊上げる為の吊管と、吊ロープ結束バンドは吊ロープを固定する為の吊ロープ結束管とを有する。このことから、本体を吊上げて固定でき、本体の形状を保持することが可能である。
【発明を実施するための最良の形態】
【００３１】
以下、本発明を実施するための最良の形態を図面を参照して具体的に説明する。なお、同一の構成要素については、同一の参照番号を付し、説明を省略する。
図１は本発明におけるごみ保管袋の第１の実施例の実施形態の構成を説明する外側展開図である。また、図２は図１のＡ−Ａ’線切断面の端面図であり、構造が理解しやすいように多少誇張して表現し図示している。
【００３２】
図１及び図２において、シート部１１は、矩形状のシート部材よりなり、その対向する２辺である上辺１２及び下辺１３は上縁１２ａ及び下縁１３ａを全長にわたってシート部１１の一方の面上に折り返して筒状に縫い付けることによって形成された紐通し部１８を有し、他の対向する２辺である両端には少なくとも２辺が連結可能な１組の部品を備えた結合部１４を有している。
【００３３】
ここで、シート部１１には、合成樹脂製、金属製又は布製のネット等を用いることが好適であるがこの限りではない。
また、連結部１４には、合成樹脂製又は金属製の１組のファスナーやボタン、紐等を採用するのが好適であるが、この限りではない。
【００３４】
上辺１２及び下辺１３に沿って形成された紐通し部１８には、一方の端より紐を挿入し反対側の端からこの紐を貫通させて外部へ引き出された上辺綴込み紐１９ａ及び下辺綴込み紐１９ｂを有している。この上辺綴込み紐１９ａ及び下辺綴込み紐１９ｂの両端には、これらが紐通し部１８内へ引き込まれることを防止するために結び目を施したり、プラスチック製の紐引き込み防止具等を装着したりすることが好適であるが、この限りではない。
【００３５】
また、シート部１１の一方の面上には、上辺１２又は下辺１３に沿う方向で中央部に配置され、縦方向の任意の箇所に本体固定バンド１７を有している。この本体固定バンド１７は、少なくともその中央部がバンド固定部１６によりシート部１１に縫い付けて又は接着剤等により取り付けられている。
【００３６】
更に、シート部１１の本体固定バンド１７を有する面上で、連結部１４を有する一方の辺の傍らに踏付けベロ４０を有している。そして、下辺１３より上方でシート部１１を円柱状に形成した際、底面部の外周を成す位置に固定されるのが好適である。この踏付けベロ４０は、少なくとも略円形と、この略円形の面積よりも小さな面積を有する矩形の部材を組み合わせた形状であり、矩形の部分を下辺１４方向へ向けて縫い付けて又は接着剤等により取り付けられる。ただし、踏付けベロの有する形状はこの限りではなく、例えば、単に矩形状や略円形状としてもよい。また、踏付けベロ４０には、比較的丈夫な合成樹脂又はゴム等を使用するのが好適であるが、この限りではない。
【００３７】
図３は、本発明における第１実施例の使用状態を説明する斜視図である。
本実施例は、より具体的に説明するために連結部１４には上下２箇所にスライダーを有する１組のファスナーを採用した場合を例に取り図示している。また、本体１０には、設置状況により適宜使用可能な形状を構成することが好適であるが、円柱状の形状を構成した場合を例に取り図示している。
シート部１１は、連結部１４によりその両端が全長にわたり連結されることで、筒状の形状を成す。そして、上辺綴込み紐１２ａ及び下辺綴込み紐１３ａの両端を引き締めて結び、上辺１２又は下辺１３を巾着状に絞り込むことで袋状の本体１０を形成する。
【００３８】
本体１０が袋状の態様を成すことで、内部のごみはシート部１１で囲まれることとなるので、ごみが風や小動物等によって飛散させられるのを防止することが可能である。シート部１１にネットを使用する場合には、小動物等が入り込めない程度の編み目を有するものを採用することで、より高い効果を得ることが可能である。
【００３９】
本実施例の使用状態での本体１０は、下辺１３を底にして地面に接触させてできる略円形の面を底面部２０とし、もう一方の辺である上辺１２を上にして底面部２０が有する面積と同等の面積となるようにした略円形の上面部５０を有するので、少なくとも円柱状又は角柱状の形状を構成することとなる。また、シート部１１に比較的厚み又は堅さのある素材を採用することで、なにも投入されていない状態での本体１０の形状をより保持することが可能となる。
【００４０】
ここで、本体１０が円柱状又は角柱状の所謂立体形状を構成し縦に空間を有効利用することで、これが占有する平面的な面積を小さくしても、大きな容量を確保することが可能である。例えば一例として、直径φ９００ｍｍ、高さＨ１６００ｍｍで、約１立方メートルの容量が確保されるのである。
このように、設置場所が狭い場合でも、底面部の面積を小さくし、縦に高さを取ることで、平面的に広がる空間ではなく、縦に延びる空間を利用して十分な容量を確保することが可能である。また、設置状況により適宜形状を構成することで、本体１０の背面等の隙間をより少なくし、空間を有効利用することが可能である。
更に、外観的にもすっきりとした印象を与え、道路脇等の公共の場所に設置された場合でも、少なくともその景観を大きく害することはない。
【００４１】
図４に、図３における本体１０の上部斜視図を示す。
上辺１２は巾着状に絞り込むことで、完全に絞り込んだとしても上面部５０の中央部に多少の開口部が生じてしまう。そこで、遮水カバー５１を設置することでこの開口部を塞ぐことが可能である。
遮水カバー５１は、略円形状でその中央には上辺綴込み紐１９ａを通すのに十分なだけの開口部である穴５１ａが設けられている。また、遮水カバー５１には金属又は合成樹脂等の非吸水材を用いることが好適であるが、この限りではない。
【００４２】
遮水カバー５１の本体１０への設置方法は非常に簡単で、上辺綴込み紐１９ａの両端を穴５１ａに通し、上面部５０へ直接接触させるだけである。
遮水カバー５１は、上辺１２を巾着状に絞り込むことでできる上面部５０の中央部に生じた開口部から雨水等が浸入し、投入されたごみが水浸しになることを防止したり、小動物等がここから本体１０の内部へ侵入しごみをあさって周囲にこれらを飛散することを防止することが可能である。
【００４３】
図５は、図３における本体１０の底面図を示している。
底面部２０の中央部には、穴部２１が設けられている。この穴部２１は、下辺絞込み紐１９ｂの絞込みの具合を調節することにより開口する大きさを任意に調節することが可能である。
この穴部２１により、投入されたごみから生じる汚水等を外部へ排出することが可能である。また、ごみを収集車に収集する際、絞込み紐１９ｂを開放し穴部２１の大きさを最大限に広げることで、本体１０に収容されたごみを収集車へ一度に収容することができ、ごみ収集の手間を軽減することが可能である。
【００４４】
踏付けベロ４０は、本体１０の形状を成した際、その一部が底面部外周２２から外側へ突き出す形で、結合部１４の傍らで地面に接触する場所に位置する。
ごみを本体１０へ投入する際、この踏付けベロ４０を足先で踏付けて地面に本体１０の一部を一時的に固定することで、結合部１４の一部を片手でも簡単に開口でき、ごみを投入することが可能となる。
【００４５】
次に、図３を用いて、本体１０を吊上げるためのごみ保管袋吊上げ装置の構成について説明する。
ごみ保管袋吊上げ装置３０は、吊ロープ３２と、接続管３３と、吊管３１を有する吊管固定バンド３６と、吊ロープ結束管３４を有する吊ロープ結束バンド３５から構成されている。吊管３１及び接続管３３、吊ロープ結束管３４は略円形のリングであり、金属又は合成樹脂等で比較的重量のある荷重に耐えられる素材を採用するのが好適であるが、この限りではない。また、吊管固定バンド３６と吊ロープ結束バンド３５は、帯状であり、金属又は合成樹脂等の素材の結束バンド等を採用するのが好適であるが、この限りではない。
【００４６】
吊管固定バンド３６と吊ロープ結束バンド３５は、本体１０の設置場所の傍らに位置する支柱や金網等に取り付けて使用する。ここで、図３には実施例として支柱６０に取り付けた場合を図示している。吊管固定バンド３６は、支柱６０上で上面部３０より高い位置に設置し、吊ロープ結束バンドは、支柱６０上で本体１０が有する高さの中央より下で且つ底面部２０よりも高い位置に設置することが好適であるが、この限りではない。
【００４７】
ごみ保管袋吊上げ装置３０は、本体１０に接続管３３を介して接続される。上辺締め込み紐１９ａの両端と、吊ロープ３３の一方の端を接続管３３に各々を結ぶ等して連結される。そして、吊ロープ３３の他方の端を吊管３１に通し、それより下部に位置する吊ロープ結束管３４等に結ぶ等して固定する。
これにより、本体１０を完全に支柱６０に固定することが可能である。従って、風や人為的、小動物等により本体１０が飛ばされたり、悪戯されたりして設置場所以外の場所に移動されることを防止することが可能である。
【００４８】
また、本体１０にごみが投入されると本体１０自身に重量が生じるが、ごみ保管袋吊上げ装置３０で本体の荷重の全てを完全に支えるのではなく、少なくともその荷重の半分以上は地面に持たせる。そうすることで、本体１０を安定させて固定することが可能である。
更に、上部を吊上げた状態にしていることで、本体１０の立体形状を少なくとも完全に損なうことなく保持することが可能である。
【００４９】
続いて、本発明におけるごみ保管袋の第１実施例の使用方法について説明する。
本発明は、道路脇やゴミステーション等の支柱や金網等に隣接して用いられる。図３に示すように、隣接した支柱や金網等にごみ袋吊上げ装置３０を取り付け、本体１０を連結させて設置される。本体１０はこの状態で既に固定されているが、補助手段として、これが有する本体固定バンド１７をごみ吊上げ装置３０の取り付け部に結ぶ等して取り付けることで、より強固に固定され、安定状態を確保することが可能である。
【００５０】
本体１０にごみを投入する場合には、上部スライダー１５ａを上方向へ引き上げて開口部をつくるか、又は、下部スライダー１５ｂを下方向へ引き下げて開口部をつくり、この開口部からごみを投入する。その後、再び上部スライダー１５ａ又は下部スライダー１５ｂを逆方向へ引き下げる又は引き上げることで開口部を閉めるのである。踏付けベロ４０を足先で踏付けて本体１０を地面に固定すると作業が容易である。
【００５１】
ごみ収集の際には、上部スライダー１５ａ又は下部スライダー１５ｂを利用し、結合部１４を全開にしてごみを取り出すか、又は、吊ロープ３２を緩め、本体１０を持ち上げて下辺綴込み紐１９ｂを緩め穴部２１を広げて、ここから本体１０に投入されたごみを収集車へ吐き出す。
【００５２】
ごみの収集終了後、本体１０が不使用の場合においては、図６に示すように折り畳んで支柱６０に固定することが可能である。ここで、図６は本発明におけるごみ保管袋の不使用時の状態を説明する斜視図である。
本体１０をごみ袋吊上げ装置３０に連結したままの状態で、吊ロープ３２を下方へ引き、本体１０を使用時よりも上方で地面に直接接しない程度の位置まで上昇させる。そして、本体を回転させ、バンド固定部１６を支柱６０とは反対側へ向け本体固定バンド１７で支柱６０の外周を包囲し、結ぶ等して固定する。
【００５３】
このように、本体１０は不使用時には容易に又非常にコンパクトに格納することが可能である。これにより、ごみ集積所が道路脇等の場合であっても道路交通を妨害することなく、ごみ集積所付近に格納しておくことが可能であり、外観がすっきりしており大きく目立たない為、その付近の景観を少なくとも大きく損なうことはない。また、本体１０の人為的又は風等による飛散を防止することも可能である。更に、地面に接触させずに格納することが出来るので、底面部２０の汚れを防止することが可能であり、ごみ集積所周辺の清掃を容易に行うことが可能である。
【００５４】
続いて、図７、図８及び図９を参照し、本発明におけるゴミ保管袋の第２実施例について説明する。前述の第１実施例と第２実施例との違いは、シート部１１の少なくとも一方の辺に対して縫い継いだ帯状部５２と、一方の面上に第１のベルト５３と、第２のベルト５４と、第３のベルト５５とを有する点にある。
【００５５】
図７に、本発明におけるごみ保管袋の第２実施例の実施形態の構成を説明する内側展開図を示す。
本実施例では、シート部１１の少なくとも一方の辺に対して縫い継ぎ部１２ｂによって縫い継いだ帯状のシート部材である帯状部５２をさらに有しており、第１実施例でシート部１１の上辺に形成された紐通し部１８に替えて、帯状部５２の上辺に、第１実施例と同様に形成した紐通し部１８と、紐通し部１８に貫通させた綴じ込み紐１９ａを有している。
【００５６】
帯状部５２は、シート部１１の上辺に沿って縫い継がれることで、よりその効果を発揮することが可能となる。帯状部５２には、合成樹脂製又は防水加工等を施した布製の素材のもの、特に広告用の幟等で頻繁に用いられるテトロンポンジを用いることが好適でるが、この限りではない。
【００５７】
例えば、帯上部５２にテトロンポンジを用いた場合には、袋状に形成した時、本発明の第１実施例のようにネットを用いた場合に比べ、上辺綴込み紐１９ａで絞り込んだり、開いたりする作業が容易となる。また、生地が薄いため、上辺綴じ込み紐１９ａを絞り込んだ状態でも紐がかさばらないといった効果がある。
ここで、本実施例では、上辺綴込み紐１９ａ及び下辺綴込み紐１９ｂに市販のループエンド１９ｃを用いることで、紐を縛ったり、解いたりする作業をより容易としている。これは、テトロンポンジのような薄い素材を採用することで、ループエンド１９ｃの使用も可能となるのである。
【００５８】
また、ネットでは防ぎ切れない上部からの飛散物である、ちり・ごみ・落ち葉・雪・鳥の糞等の袋内への混入を防ぐことを可能とする。
一方で、外側面に印刷を施すことが可能なことから、外側面のデザイン化が期待できる。例えば、設置場所に応じて、様々なデザイン画等を施したり、地域や行政等と連携し、ごみに対する標語や市民への連絡等を掲載したり、企業の広告を掲載する等の利用が期待できる。
【００５９】
さらに、帯上部５２は、一方の面上に上下方向へ延びる第１のベルト５３と、第１のベルト５３の上下方向において角度をなす第２のベルト５４と、第３のベルト５５とを有し、第１のベルト５３の少なくとも一方の端には本体（１０ａ）をごみ集積所の適所に固定するためのベルト固定部５７を有している。
【００６０】
これにより、本体（１０ａ）をごみ保管袋吊上げ装置に取り付ける際、ベルト固定部５７を吊管３１へ接続することで、第１実施例での吊ロープにより吊り上げる作業をなくし、容易に取り付け作業を行うことが可能となるのである。さらに、ごみ吊上げ装置については、ごみ集積所の適所に吊管固定バンド３６及び吊管３１のみの設置でよいことから、容易に取り付けることが可能となる。
【００６１】
ベルト固定部５７は、略三角形状の環で他と脱着可能な切れ込みを有しており、一辺を第１のベルトの一方の側に回動自在に固定されている。ただし、ベルト固定部５７の形状は、この限りではなく、例えば、略四角形状や略円形状、フック形状のものでも可能である。
【００６２】
第１のベルト５３は、ベルト固定部５７に一方の端を引っ掛けて折り返し、所定の長さをとり、アジャスター５６で固定する。これにより、第１のベルト５３の長さ調節を可能とする。さらに、第１のベルト５３を調節することで、本体を第１のベルト５３で吊上げた際、吊上げの高さを調節することが可能となる。
【００６３】
第２のベルト５４及び第３のベルト５５は、それぞれ第１のベルト５３の上下方向において角度をなしており、第１のベルト５３を中心として、それぞれが逆の方向の下側端に向かって延びている。
これら３本のベルトは、帯上部５２の補強ベルトとして形状保持の役割を果たすとともに、第１のベルト５３で本体を吊り上げた際、第２のベルト５４及び第３のベルト５５へ力を分散することで、第１のベルト５３のみに荷重がかかることを防止する役割を果たしている。これにより、帯上部５２に薄い素材を採用することを可能としている。
【００６４】
図８は、本発明におけるごみ保管袋の第２実施例の使用状態を説明する斜視図である。本実施例の場合も第１実施例と同様に本体１０ａを袋状に形成し、道路脇やゴミステーション等の支柱や金網等に隣接して用いられる。そして隣接した支柱や金網等にごみ袋吊上げ装置３０の吊管固定バンド３６及び吊管３１のみを取り付け、本体１０ａのベルト固定部５７を吊管３１に連結させて設置される。
【００６５】
本体１０ａにごみを投入する場合には、第１実施例と同様に上部スライダー１５ａを上方向へ引き上げて開口部をつくるか、又は、下部スライダー１５ｂを下方向へ引き下げて開口部をつくり、この開口部からごみを投入する。その後、再び上部スライダー１５ａ又は下部スライダー１５ｂを逆方向へ引き下げる又は引き上げることで開口部を閉める。また、本実施例では、遮水カバー５１を不採用としたことで、上面部５０に開口する開口部２１ａを有するので、開口部２１ａから入る大きさのごみであれば、上述の操作をすることなくごみの投入が可能である。さらに、上辺綴込み紐１９ａにループエンド１９ｃを採用していることから、ループエンド１９ｃを緩めて開口部２１ａを拡大しごみを投入することも可能である。
【００６６】
ごみ収集の際には、上部スライダー１５ａ又は下部スライダー１５ｂを利用し、結合部１４を全開にすることで、ごみを容易に取り出すことが可能である。
【００６７】
図９は本発明におけるごみ保管袋の第２実施例の不使用時の状態を説明する斜視図である。
ごみ収集終了後、本体１０ａの不使用時は、図９に示すように折り畳んで、または、小さくまとめて支柱６０付近にごみ保管袋吊上げ装置３０に接続した状態でまとめておくことで、通行の邪魔にならずに本体１０ａを保管することが可能である。また、ごみ保管袋吊上げ装置３０に接続されているので、本体１０ａの紛失を防止することが可能である。さらに、本体１０ａをごみ保管袋吊上げ装置３０から取り外し、本体１０ａをシート状に展開することで、小さく折りたたんで他の場所に保管することも可能である。そうすることで、街の景観を損ねることなく、また、ごみの時間外投棄等を防止する効果が期待できる。
【００６８】
尚、本発明におけるごみ保管袋及びごみ保管袋吊上げ装置は、ごみ袋に入れられたごみだけでなく、ペットボトルやビン類、プラスチックトレー等の分別ごみ用に使用することも可能である。
【図面の簡単な説明】
【００６９】
【図１】本発明におけるごみ保管袋の第１実施例の実施形態の構成を説明する外側展開図である。
【図２】図１のＡ−Ａ’線切断面の端面図である。
【図３】本発明におけるごみ保管袋の第１実施例の使用状態を説明する斜視図である。
【図４】図３における本体１０の上部斜視図である。
【図５】図３における本体１０の底面図である。
【図６】本発明における第１実施例のごみ保管袋の不使用時の状態を説明する斜視図である。
【図７】本発明におけるごみ保管袋の第２実施例の実施形態の構成を説明する外側展開図である。
【図８】本発明におけるごみ保管袋の第２実施例の使用状態を説明する斜視図である。
【図９】本発明におけるごみ保管袋の第２実施例の不使用時の状態を説明する斜視図である。
【符号の説明】
【００７０】
１０，１０ａ  本体
１１  シート部
１２    上辺
１２ａ  上縁
１２ｂ  縫い継ぎ部
１３    下辺
１３ａ  下縁
１４  結合部
１４ａ、１４ｂ  ファスナー
１５ａ  上部スライダー
１５ｂ  下部スライダー
１６  バンド固定部
１７  本体固定バンド
１８  紐通し部
１９ａ  上辺綴込み紐
１９ｂ  下辺綴込み紐
１９ｃ  ループエンド
２０  底面部
２１，２１ａ  開放部
２２  底面部外周
３０  ごみ保管袋吊上げ装置      
３１  吊管
３２  吊ロープ
３３  接続管
３４  吊ロープ結束管
３５  吊ロープ結束管バンド
３６  吊管固定バンド
４０  踏付けベロ
５０  上面部
５１  遮水カバー
５１ａ  穴
５２  帯状部
５３  第１のベルト
５４  第２のベルト
５５  第３のベルト
５６  アジャスター
５７  ベルト固定部
６０  支柱
【図１】
2009007161.tif 000003
【図２】
2009007161.tif 000004
【図３】
2009007161.tif 000005
【図４】
2009007161.tif 000006
【図５】
2009007161.tif 000007
【図６】
2009007161.tif 000008
【図７】
2009007161.tif 000009
【図８】
2009007161.tif 000010
【図９】
2009007161.tif 000011